(57)【特許請求の範囲】
【請求項１】
ワイヤレスネットワークにおいて周波数および／またはタイミングを同期させるための方法であって、前記方法は、フェムトノードが実行し、前記方法は、
１つまたは複数のアンカーソースから１つまたは複数の信号を受信することと、
前記１つまたは複数の信号のうちの少なくとも１つが、少なくともしきい値信号品質で受信されたと判定することと、
ローカル周波数および／またはローカルタイミングの差が、前記１つまたは複数の信号のうちの前記少なくとも１つに基づいて決定された信号周波数および／または信号タイミングとのしきい値差内であるかどうかを判定することと、ここで、前記しきい値差は、前記ローカル周波数間の前記差および／または前記ローカルタイミング間の前記差が、基地局で周波数および／またはタイミングを決定するためのアンカーとして使用される前記ローカル周波数および／またはローカルタイミングのための前記信号周波数および／または信号タイミングに対して十分に正確であることを示す、
前記差が前記しきい値差内である場合に、前記フェムトノードが前記周波数および／またはタイミングを同期するためのアンカーソースであることを示すアンカーステータスを通知することと
を備える方法。
【請求項２】
前記差が前記しきい値差内であると判定すると、周波数および／またはタイミング更新手順を終了または一時停止することをさらに備える、
請求項１に記載の方法。
【請求項３】
前記差が前記しきい値差内でない場合に前記ローカル周波数および／または前記ローカルタイミングを前記信号周波数および／または前記信号タイミングに同期させることをさらに備える、
請求項１に記載の方法。
【請求項４】
前記アンカーステータスを前記通知することは、前記アンカーステータスを示すブロードキャスト信号を送信することを備える、
請求項１に記載の方法。
【請求項５】
前記アンカーステータスを前記通知することは、バックホール接続を介して、１つまたは複数のフェムトノードに前記アンカーステータスを知らせることを備える、
請求項１に記載の方法。
【請求項６】
ワイヤレスネットワークにおいて周波数および／またはタイミングを同期させるための装置であって、
１つまたは複数のアンカーソースから１つまたは複数の信号を受信し、
前記１つまたは複数の信号のうちの少なくとも１つが、少なくともしきい値信号品質で受信されたと判定し、
ローカル周波数および／またはローカルタイミングの差が、前記１つまたは複数の信号のうちの前記少なくとも１つに基づいて決定された信号周波数および／または信号タイミングとのしきい値差内であるかどうかを判定し、ここで、前記しきい値差は、前記ローカル周波数間の前記差および／または前記ローカルタイミング間の前記差が基地局で周波数および／またはタイミングを決定するためのアンカーとして使用される前記ローカル周波数および／またはローカルタイミングのための前記信号周波数および／または信号タイミングに対して十分に正確であることを示す、
前記差が前記しきい値差内である場合に、フェムトノードが前記周波数および／またはタイミングを同期するためのアンカーソースであることを示すアンカーステータスを通知する
ように構成された少なくとも１つのプロセッサと、
前記少なくとも１つのプロセッサに結合されたメモリと
を備える、装置。
【請求項７】
前記少なくとも１つのプロセッサは、前記差が前記しきい値差内であると判定すると、周波数および／またはタイミング更新手順を終了または一時停止するようにさらに構成される、
請求項６に記載の装置。
【請求項８】
前記少なくとも１つのプロセッサは、前記差が前記しきい値差内でない場合に前記ローカル周波数および／または前記ローカルタイミングを前記信号周波数および／または前記信号タイミングに同期させるようにさらに構成される、
請求項６に記載の装置。
【請求項９】
前記少なくとも１つのプロセッサは、前記アンカーステータスを示すブロードキャスト信号を送信することによって、部分的に前記アンカーステータスを通知する、
請求項６に記載の装置。
【請求項１０】
前記少なくとも１つのプロセッサは、バックホール接続を介して、１つまたは複数のフェムトノードに前記アンカーステータスを知らせることによって、部分的に前記アンカーステータスを通知する、
請求項６に記載の装置。
【請求項１１】
ワイヤレスネットワークにおいて周波数および／またはタイミングを同期させるための装置であって、
１つまたは複数のアンカーソースから１つまたは複数の信号を受信するための手段と、
前記１つまたは複数の信号のうちの少なくとも１つが、少なくともしきい値信号品質で受信されたと判定するための手段と、
ローカル周波数および／またはローカルタイミングの差が、前記１つまたは複数の信号のうちの前記少なくとも１つに基づいて決定された信号周波数および／または信号タイミングとのしきい値差内であるかどうかを判定するための手段と、ここで、前記しきい値差は、前記ローカル周波数間の前記差および／または前記ローカルタイミング間の前記差が基地局で周波数および／またはタイミングを決定するためのアンカーとして使用される前記ローカル周波数および／またはローカルタイミングのための前記信号周波数および／または信号タイミングに対して十分に正確であることを示す、
前記差が前記しきい値差内である場合に、フェムトノードが前記周波数および／またはタイミングを同期するためのアンカーソースであることを示すアンカーステータスを通知するための手段と
を備える、装置。
【請求項１２】
前記アンカーステータスを通知するための前記手段が、前記差が前記しきい値差内であると判定すると、周波数および／またはタイミング更新手順を終了または一時停止する、
請求項１１に記載の装置。
【請求項１３】
前記差が前記しきい値差内でない場合に前記ローカル周波数および／または前記ローカルタイミングを前記信号周波数および／または前記信号タイミングに同期させるための手段をさらに備える、
請求項１１に記載の装置。
【請求項１４】
前記通知するための手段は、前記アンカーステータスを示すブロードキャスト信号を送信することによって、部分的に前記アンカーステータスを通知する、
請求項１１に記載の装置。
【請求項１５】
前記通知するための手段は、バックホール接続を介して、１つまたは複数のフェムトノードに前記アンカーステータスを知らせることによって、部分的に前記アンカーステータスを通知する、
請求項１１に記載の装置。
【請求項１６】
ワイヤレスネットワークにおいて周波数および／またはタイミングを同期させるためのコンピュータプログラムであって、
少なくとも１つのコンピュータに、１つまたは複数のアンカーソースから１つまたは複数の信号を受信させるためのコードと、
前記少なくとも１つのコンピュータに、前記１つまたは複数の信号のうちの少なくとも１つが、少なくともしきい値信号品質で受信されたと判定させるためのコードと、
前記少なくとも１つのコンピュータに、ローカル周波数および／またはローカルタイミングの差が、前記１つまたは複数の信号のうちの前記少なくとも１つに基づいて決定された信号周波数および／または信号タイミングとのしきい値差内であるかどうかを判定させるためのコードと、ここで、前記しきい値差は、前記ローカル周波数間の前記差および／または前記ローカルタイミング間の前記差が基地局で周波数および／またはタイミングを決定するためのアンカーとして使用される前記ローカル周波数および／またはローカルタイミングのための前記信号周波数および／または信号タイミングに対して十分に正確であることを示す、
前記少なくとも１つのコンピュータに、前記差が前記しきい値差内である場合に、フェムトノードが前記周波数および／またはタイミングを同期するためのアンカーソースであることを示すアンカーステータスを通知させるためのコードと
を備えるコンピュータプログラム。
【請求項１７】
前記少なくとも１つのコンピュータに、前記差が前記しきい値差内であると判定すると、周波数および／またはタイミング更新手順を終了または一時停止させるためのコードをさらに備える、
請求項１６に記載のコンピュータプログラム。
【請求項１８】
前記少なくとも１つのコンピュータに、前記差が前記しきい値差内でない場合に前記ローカル周波数および／または前記ローカルタイミングを前記信号周波数および／または前記信号タイミングに同期させるためのコードをさらに備える、
請求項１６に記載のコンピュータプログラム。
【請求項１９】
前記少なくとも１つのコンピュータに通知させるための前記コードは、前記アンカーステータスを示すブロードキャスト信号を送信することによって、部分的に前記アンカーステータスを通知する、
請求項１６に記載のコンピュータプログラム。
【請求項２０】
前記少なくとも１つのコンピュータに通知させるための前記コードは、バックホール接続を介して、１つまたは複数のフェムトノードに前記アンカーステータスを知らせることによって、部分的に前記アンカーステータスを通知する、
請求項１６に記載のコンピュータプログラム。
【請求項２１】
ワイヤレスネットワークにおいて周波数および／またはタイミングを同期させるための方法であって、前記方法は、フェムトノードが実行し、前記方法は、
複数のソースから複数の信号を受信することと、
前記複数のソースからの１つのソースがアンカー信号ソースであるかどうかを、前記ソースを前記アンカー信号ソースとして通知している前記複数の信号の前記ソースからインジケーションが受信されるかどうか判定することに、少なくとも部分的に基づいて、判定することと、
前記アンカー信号ソースから受信された信号がしきい値信号品質を超えるかどうか判定することと、
前記信号のいずれもが、前記アンカー信号ソースから受信した信号ではなく、前記しきい値信号品質を超える信号品質を有すると判定すると、前記複数の信号の各々とローカル周波数および／またはローカルタイミングとの間の周波数および／またはタイミングの差を判定することと
を備える、方法。
【請求項２２】
前記複数のソースのタイプに部分的に基づいて、前記差の各々に重みを割り当てることと、
前記差の各々に適用された前記重みを有する前記差の合計に部分的に基づいて計算された重み付き平均差に従って、前記ローカル周波数および／または前記ローカルタイミングを調整することと
をさらに備える、請求項２１に記載の方法。
【請求項２３】
前記複数のソースのうちの少なくとも１つのソースが、前記複数のソースのうちの別のソースとは異なる、
請求項２１に記載の方法。
【請求項２４】
前記複数のソースのうちの前記少なくとも１つのソースは、フェムトノードである、
請求項２３に記載の方法。
【請求項２５】
前記インジケーションを前記受信することは、前記フェムトノードに対応する前記複数の信号の１つにおける前記インジケーションを受信することを備える、
請求項２４に記載の方法。
【請求項２６】
前記インジケーションを前記受信することは、
前記フェムトノードとのバックホール接続を介して前記インジケーションを受信することを備える、請求項２４に記載の方法。
【請求項２７】
ワイヤレスネットワークにおいて周波数および／またはタイミングを同期させるための装置であって、
複数のソースから複数の信号を受信し、
前記複数のソースからの１つのソースがアンカー信号ソースであるかどうかを、前記ソースを前記アンカー信号ソースとして通知している前記複数の信号の前記ソースからインジケーションが受信されるかどうか判定することに、少なくとも部分的に基づいて、判定し、
前記アンカー信号ソースから受信された信号がしきい値信号品質を超えるかどうか判定し、
前記信号のいずれもが、前記アンカー信号ソースから受信した信号ではなく、前記しきい値信号品質を超える信号品質を有すると判定すると、前記複数の信号の各々とローカル周波数および／またはローカルタイミングとの間の周波数および／またはタイミングの差を判定する
ように構成された少なくとも１つのプロセッサと、
前記少なくとも１つのプロセッサに結合されたメモリと
を備える、装置。
【請求項２８】
前記少なくとも１つのプロセッサは、
前記複数のソースのタイプに部分的に基づいて、前記差の各々に重みを割り当て、
前記差の各々に適用された前記重みを有する前記差の合計に部分的に基づいて計算された重み付き平均差に従って、前記ローカル周波数および／または前記ローカルタイミングを調整する
ようにさらに構成される、請求項２７に記載の装置。
【請求項２９】
前記複数のソースのうちの少なくとも１つのソースは、前記複数のソースのうちの別のソースとは異なる、
請求項２７に記載の装置。
【請求項３０】
前記複数のソースのうちの前記少なくとも１つのソースは、フェムトノードである、
請求項２９に記載の装置。
【請求項３１】
前記少なくとも１つのプロセッサは、前記フェムトノードに対応する前記複数の信号の１つにおける前記インジケーションを受信するようにさらに構成される、
請求項３０に記載の装置。
【請求項３２】
前記少なくとも１つのプロセッサは、前記フェムトノードとのバックホール接続を介して前記インジケーションを受信するようにさらに構成される、
請求項３０に記載の装置。
【請求項３３】
ワイヤレスネットワークにおいて周波数および／またはタイミングを同期させるための装置であって、
複数のソースから複数の信号を受信するための手段と、
前記複数のソースからの１つのソースがアンカー信号ソースであるかどうかを、前記ソースを前記アンカー信号ソースとして通知している前記複数の信号の前記ソースからインジケーションが受信されるかどうか判定することに、少なくとも部分的に基づいて、判定するための手段と、
前記アンカー信号ソースから受信された信号がしきい値信号品質を超えるかどうか判定するための手段と、
前記信号のいずれもが、前記アンカー信号ソースから受信した信号ではなく、前記しきい値信号品質を超える信号品質を有すると判定すると、前記複数の信号の各々とローカル周波数および／またはローカルタイミングとの間の周波数および／またはタイミングの差を判定するための手段と
を備える、装置。
【請求項３４】
前記複数のソースのタイプに部分的に基づいて、前記差の各々に重みを割り当てるための手段と、
前記差の各々に適用された前記重みを有する前記差の合計に部分的に基づいて計算された重み付き平均差に従って、前記ローカル周波数および／または前記ローカルタイミングを調整するための手段と
をさらに備える、請求項３３に記載の装置。
【請求項３５】
前記複数のソースのうちの少なくとも１つのソースは、前記複数のソースのうちの別のソースとは異なる、
請求項３３に記載の装置。
【請求項３６】
前記複数のソースのうちの前記少なくとも１つのソースは、フェムトノードである、
請求項３５に記載の装置。
【請求項３７】
受信するための前記手段は、前記フェムトノードに対応する前記複数の信号の１つにおける前記インジケーションを受信するようにさらに構成される、
請求項３６に記載の装置。
【請求項３８】
受信するための前記手段は、前記フェムトノードとのバックホール接続を介して前記インジケーションを受信するようにさらに構成される、
請求項３６に記載の装置。
【請求項３９】
ワイヤレスネットワークにおいて周波数および／またはタイミングを同期させるためのコンピュータプログラムであって、
少なくとも１つのコンピュータに、複数のソースから複数の信号を受信させるためのコードと、
前記少なくとも１つのコンピュータに、前記複数のソースからの１つのソースがアンカー信号ソースであるかどうかを、前記ソースを前記アンカー信号ソースとして通知している前記複数の信号の前記ソースからインジケーションが受信されるかどうか判定することに、少なくとも部分的に基づいて、判定させるためのコードと、
前記アンカー信号ソースから受信された信号がしきい値信号品質を超えるかどうか判定させるためのコードと、
前記信号のいずれもが、前記アンカー信号ソースから受信した信号ではなく、前記しきい値信号品質を超える信号品質を有すると判定すると、前記少なくとも１つのコンピュータに、前記複数の信号の各々とローカル周波数および／またはローカルタイミングとの間の周波数および／またはタイミングの差を判定させるためのコードと
を備える、コンピュータプログラム。
【請求項４０】
前記少なくとも１つのコンピュータに、前記複数のソースのタイプに部分的に基づいて、前記差の各々に重みを割り当てさせるためのコードと、
前記少なくとも１つのコンピュータに、前記差の各々に適用された前記重みを有する前記差の合計に部分的に基づいて計算された重み付き平均差に従って、前記ローカル周波数および／または前記ローカルタイミングを調整させるためのコードと
をさらに備える、請求項３９に記載のコンピュータプログラム。
【請求項４１】
前記複数のソースのうちの少なくとも１つのソースは、前記複数のソースのうちの別のソースとは異なる、
請求項３９に記載のコンピュータプログラム。
【請求項４２】
前記複数のソースのうちの前記少なくとも１つのソースは、フェムトノードである、
請求項４１に記載のコンピュータプログラム。
【請求項４３】
前記少なくとも１つのコンピュータに、前記フェムトノードに対応する前記複数の信号の１つにおける前記インジケーションを受信させるためのコードをさらに備える、
請求項４２に記載のコンピュータプログラム。
【請求項４４】
前記少なくとも１つのコンピュータに、前記フェムトノードとのバックホール接続を介して前記インジケーションを受信させるためのコードをさらに備える、
請求項４２に記載のコンピュータプログラム。
【発明の詳細な説明】
【技術分野】
【０００１】
米国特許法第１１９条に基づく優先権の主張  
本特許出願は、本出願の譲受人に譲渡され、参照により本明細書に明確に組み込まれる、２０１１年９月７日に出願された「ＤＩＳＴＲＩＢＵＴＥＤ  ＳＹＮＣＨＲＯＮＩＺＡＴＩＯＮ  ＦＯＲ  ＦＥＭＴＯＣＥＬＬ  ＮＥＴＷＯＲＫＳ」と題する仮出願第６１／５３２，０２１号および２０１１年９月１２日に出願された「ＭＥＴＨＯＤ  ＡＮＤ  ＡＰＰＡＲＡＴＵＳ  ＦＯＲ  ＤＩＳＴＲＩＢＵＴＥＤ  ＳＹＮＣＨＲＯＮＩＺＡＴＩＯＮ  ＩＮ  ＦＥＭＴＯＣＥＬＬ  ＮＥＴＷＯＲＫＳ」と題する仮出願第６１／５３３，７３９号の優先権を主張する。
【背景技術】
【０００２】
ワイヤレス通信システムは、音声、データなど、様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ＥＶ−ＤＯ）などの仕様に準拠することができる。
【０００３】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。加えて、ピアツーピアワイヤレスネットワーク構成では、モバイルデバイスは他のモバイルデバイスと（および／または基地局は他の基地局と）通信することができる。
【０００４】
従来の基地局を補うために、追加の制限された基地局を展開して、よりロバストなワイヤレスカバレージをモバイルデバイスに与えることができる。たとえば、増分キャパシティの増大、よりリッチなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムト基地局、フェムトセル、ピコセル、マイクロセルなどと呼ばれることがある）低電力基地局が展開され得る。いくつかの構成では、そのような低電力基地局は、モバイル事業者のネットワークへのバックホールリンクを提供することができる、ブロードバンド接続（たとえば、デジタル加入者回線（ＤＳＬ）ルータ、ケーブルまたは他のモデムなど）を介してインターネットに接続される。この点について、低電力基地局は、現在のネットワーク環境を考慮することなしに、家庭、オフィスなどに展開されることが多い。低電力基地局は、ローカル周波数および／またはタイミングを全地球測位信号（ＧＰＳ）またはネットワーク内のマクロセル基地局からの基準信号と同期させることができるが、場合によっては、低電力基地局は、（たとえば、周囲のネットワーク環境によっては）そのような信号を良好な信号品質で受信することができない場合があり、このことは、信号を復号して、同期させるべき周波数またはタイミングを決定するときに、問題を引き起こす可能性がある。
【発明の概要】
【０００５】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
ワイヤレスネットワークの周波数および／またはタイミングを同期させることを容易にすることに関して、様々な態様について説明する。一例では、１つまたは複数のアンカーソースから１つまたは複数の信号を受信し、１つまたは複数の信号のうちの少なくとも１つが、少なくともしきい値信号品質で受信されたと判定し、ローカル周波数および／またはローカルタイミングの差が、１つまたは複数の信号のうちの少なくとも１つに基づいて決定された信号周波数および／または信号タイミングとのしきい値差内であるかどうかを判定し、差がしきい値差内である場合にアンカーステータスを通知するように構成されたフェムトノードを用いる。
【０００７】
関連する態様によれば、ワイヤレスネットワークの周波数および／またはタイミングを同期させることを容易にするための方法。方法は、１つまたは複数のアンカーソースから１つまたは複数の信号を受信することを含むことができる。また、方法は、１つまたは複数の信号のうちの少なくとも１つが、少なくともしきい値信号品質で受信されたと判定することを含み得る。さらに、方法は、ローカル周波数および／またはローカルタイミングの差が、１つまたは複数の信号のうちの少なくとも１つに基づいて決定された信号周波数および／または信号タイミングとのしきい値差内であるかどうかを判定することを含み得る。さらに、方法は、差がしきい値差内である場合にアンカーステータスを通知することを含むことができる。
【０００８】
別の態様は、ワイヤレスネットワークにおいて周波数および／またはタイミングを同期させる装置に関する。装置は、１つまたは複数のアンカーソースから１つまたは複数の信号を受信するための手段を含むことができる。また、装置は、１つまたは複数の信号のうちの少なくとも１つが、少なくともしきい値信号品質で受信されたと判定するための手段を含むことができる。さらに、装置は、ローカル周波数および／またはローカルタイミングの差が、１つまたは複数の信号のうちの少なくとも１つに基づいて決定された信号周波数および／または信号タイミングとのしきい値差内であるかどうかを判定するための手段を含むことができる。さらに、装置は、差がしきい値差内である場合にアンカーステータスを通知するための手段を含むことができる。
【０００９】
別の態様は、ワイヤレスネットワークにおいて周波数および／またはタイミングを同期させるための装置に関する。装置は、１つまたは複数のアンカーソースから１つまたは複数の信号を受信し、１つまたは複数の信号のうちの少なくとも１つが、少なくともしきい値信号品質で受信されたと判定し、ローカル周波数および／またはローカルタイミングの差が、１つまたは複数の信号のうちの少なくとも１つに基づいて決定された信号周波数および／または信号タイミングとのしきい値差内であるかどうかを判定し、差がしきい値差内である場合にアンカーステータスを通知するように構成されたプロセッサを少なくとも含むことができる。
【００１０】
別の態様は、１つまたは複数のアンカーソースから１つまたは複数の信号を受信し、１つまたは複数の信号のうちの少なくとも１つが、少なくともしきい値信号品質で受信されたと判定するためのコードを備えるコンピュータ可読媒体を有することができるコンピュータプログラム製品に関する。また、コンピュータ可読媒体は、ローカル周波数および／またはローカルタイミングの差が、１つまたは複数の信号のうちの少なくとも１つに基づいて決定された信号周波数および／または信号タイミングとのしきい値差内であるかどうかを判定するためのコードを含むことができる。さらに、コンピュータ可読媒体は、ローカル周波数および／またはローカルタイミングの差が、１つまたは複数の信号のうちの少なくとも１つに基づいて決定された信号周波数および／または信号タイミングとのしきい値差内であるかどうかを判定するためのコードを含むことができる。さらに、コンピュータ可読媒体は、差がしきい値差内である場合にアンカーステータスを通知するためのコードを含むことができる。
【００１１】
関連する態様によれば、ワイヤレスネットワークの周波数および／またはタイミングを同期させることを容易にするための方法。方法は、複数のソースから複数の信号を受信することを含むことができる。また、方法は、複数のソースからの１つのソースが、複数の信号のソースから受信されたインジケーションに少なくとも部分的に基づくアンカー信号ソースであるかどうかを判定することを含み得る。さらに、方法は、複数の信号の各々とローカル周波数および／またはローカルタイミングとの間の周波数および／またはタイミングの差を判定することを含むことができる。
【００１２】
別の態様は、ワイヤレスネットワークにおいて周波数および／またはタイミングを同期させる装置に関する。装置は、複数のソースから複数の信号を受信するための手段を含むことができる。また、装置は、複数のソースからの１つのソースが、複数の信号のソースから受信されたインジケーションに少なくとも部分的に基づくアンカー信号ソースであるかどうかを判定するための手段を含むことができる。さらに、装置は、複数の信号の各々とローカル周波数および／またはローカルタイミングとの間の周波数および／またはタイミングの差を判定するための手段を含むことができる。
【００１３】
別の態様は、ワイヤレスネットワークにおいて周波数および／またはタイミングを同期させるための装置に関する。装置は、複数のソースから複数の信号を受信し、複数のソースからの１つのソースが、複数の信号のソースから受信されたインジケーションに少なくとも部分的に基づくアンカー信号ソースであるかどうかを判定し、複数の信号の各々とローカル周波数および／またはローカルタイミングとの間の周波数および／またはタイミングの差を判定するように構成されたプロセッサを少なくとも含むことができる。
【００１４】
別の態様は、複数のソースから複数の信号を受信するためのコードを備えるコンピュータ可読媒体を有することができるコンピュータプログラム製品に関する。また、コンピュータ可読媒体は、複数のソースからの１つのソースが、複数の信号のソースから受信されたインジケーションに少なくとも部分的に基づくアンカー信号ソースであるかどうかを判定するためのコードを含むことができる。さらに、コンピュータ可読媒体は、複数の信号の各々とローカル周波数および／またはローカルタイミングとの間の周波数および／またはタイミングの差を判定するためのコードを含むことができる。
【００１５】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１６】
添付の図面とともに以下に説明する開示する態様は、開示する態様を限定するためではなく、開示する態様を例示するために与えられ、同様の符号は同様の要素を示す。
【図１】フェムトノードの周波数および／またはタイミングを同期させることを容易にする例示的なシステムのブロック図。
【図２】アンカーステータスを通知するための例示的な方法の一態様のフローチャート。
【図３】ワイヤレスネットワークにおいて周波数および／またはタイミングを同期させるための例示的な方法の一態様のフローチャート。
【図４】ワイヤレスネットワークにおいて周波数および／またはタイミングを同期させるための例示的な方法の一態様のフローチャート。
【図５】本明細書で説明する態様による、周波数の同期化のいくつかの反復における周波数差の例示的な正規化平均偏差のグラフ。
【図６】アンカーステータスを通知する例示的なシステムのブロック図。
【図７】ワイヤレスネットワークにおいて周波数および／またはタイミングを同期させる例示的なシステムのブロック図。
【図８】本明細書で説明する態様による、例示的なワイヤレス通信システムのブロック図。
【図９】本明細書で説明する様々なシステムおよび方法とともに採用され得る例示的なワイヤレスネットワーク環境の図。
【図１０】本明細書の態様が実装され得る、いくつかのデバイスをサポートするように構成された例示的なワイヤレス通信システムを示す図。
【図１１】ネットワーク環境内でフェムトセルの展開を可能にするための例示的な通信システムの図。
【図１２】いくつかの画定されたトラッキングエリアを有するカバレージマップの例を示す図。
【発明を実施するための形態】
【００１７】
ここで、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施できることは明らかであろう。
【００１８】
本明細書でさらに説明するように、低電力基地局は、周波数および／またはタイミングを１つまたは複数の信号ソースに同期させることができる。一例では、低電力基地局は、周波数および／またはタイミングを同期させるための１つまたは複数のアンカー信号が、少なくともしきい値信号品質で受信されたかどうかを判定することができる。たとえば、アンカー信号は、周波数および／またはタイミングを同期させるための基準点として使用される、全地球測位システム（ＧＰＳ）信号、マクロセル基地局からブロードキャストされた信号など、信頼できるソースからの信号とすることができる。アンカー信号がしきい値信号品質で受信された場合、低電力基地局は、アンカー信号に基づいて周波数またはタイミング差を判定することができ、差がしきい値内であるかどうかを判定することができる。差がしきい値内である場合、低電力基地局は、その周波数および／またはタイミングをロックする（たとえば、他のソースをチェックするのを控える、または少なくとも低電力基地局が更新のために他のソースをチェックするインスタンスを減らす）ことができ、低電力基地局が周波数および／またはタイミングを同期させる他の低電力基地局のアンカーであり得ることを指定する情報をブロードキャストすることができる。差がしきい値内でない場合、低電力基地局は、アンカー信号に同期することができる。
【００１９】
１つまたは複数のアンカー信号がしきい値信号品質で受信されなかった（および／または受信した信号がアンカー信号ではない）場合、低電力基地局は、重み付き平均周波数および／またはタイミング差を決定するために複数のアンカー信号および／または他の信号に重み付けすることができる。たとえば、この例における低電力基地局は、信号を受信し、信号とローカル周波数および／またはタイミングとの間の周波数および／またはタイミング差を判定し、信号のソースがアンカーであるかどうか、またはそうでなければソースの（たとえば、および／またはソースを識別することができる信号の）タイプ、信号の品質などに基づいて差に重み付けすることができる。一例では、ＧＰＳ信号に、別の低電力基地局からの信号よりも高い重みを与えることができ、上記で説明した例によれば、それ自体をアンカーとして通知する低電力基地局に、そのように通知しない低電力基地局よりも高い重みを与えることができる。低電力基地局は、１つまたは複数の重み付けされた差の平均に基づいてローカル周波数および／またはタイミングを調整することができる。
【００２０】
低電力基地局は、本明細書で参照する場合、フェムトノード、ピコノード、マクロノード、ホームノードＢまたはホーム発展型ノードＢ（Ｈ（ｅ）ＮＢ）、リレー、および／または他の低電力基地局を含むことができ、これらの用語の使用は一般に低電力基地局を包含するものであるが、本明細書ではこれらの用語のうちの１つを使用して呼ぶことができる。
【００２１】
本出願で使用する場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上にローカルに配置され得、および／または２つ以上のコンピュータ間に分散され得る。加えて、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータなど、１つまたは複数のデータパケットを有する信号に従うことなどによって、ローカルプロセスおよび／またはリモートプロセスを介して通信し得る。
【００２２】
さらに、本明細書では、ワイヤード端末またはワイヤレス端末とすることができる端末に関して、様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末またはデバイスは、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、タブレット、コンピューティングデバイス、またはワイヤレスモデムに接続された他の処理デバイスとすることができる。さらに、本明細書では基地局に関して、様々な態様について説明する。基地局は、（１つまたは複数の）ワイヤレス端末と通信するために利用され得、アクセスポイント、ノードＢ、発展型ノードＢ（ｅＮＢ）、集合的にＨ（ｅ）ＮＢと呼ばれるホームノードＢ（ＨＮＢ）もしくはホーム発展型ノードＢ（ＨｅＮＢ）、または何らかの他の用語で呼ばれることもある。
【００２３】
さらに、「または」という用語は、排他的な「または」ではなく、包括的な「または」を意味するものとする。すなわち、別段の規定がない限り、または文脈から明白でない限り、「ＸはＡまたはＢを採用する」という句は、自然な包括的置換のいずれかを意味するものとする。すなわち、語句「ＸはＡまたはＢを使用する」は、以下の場合、すなわち、ＸがＡを採用する場合、ＸがＢを彩用する場合、またはＸがＡとＢの両方を採用する場合のうちのいずれかによって満足される。加えて、本出願および添付の特許請求の範囲で使用されるとき、冠詞「ａ」および「ａｎ」は、別段指定されない限り、または単数形を対象とすべきであると文脈から明らかでない限り、通常、「１つまたは複数」を意味すると解釈されるべきである。
【００２４】
本明細書で説明する技法は、ＣＤＭＡ、ＴＤＭＡ、ＦＤＭＡ、ＯＦＤＭＡ、ＳＣ−ＦＤＭＡ、ＷｉＦｉ、キャリア検知多重アクセス（ＣＳＭＡ）、および他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ（登録商標））と、ＣＤＭＡの他の変形態とを含む。さらに、ｃｄｍａ２０００は、ＩＳ−２０００規格と、ＩＳ−９５規格と、ＩＳ−８５６規格とをカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２５】
様々な態様または特徴が、いくつかのデバイス、構成要素、モジュールなどを含み得るシステムに関して提示される。様々なシステムは、追加のデバイス、構成要素、モジュールなどを含んでもよく、かつ／または、各図に関連して論じられるデバイス、構成要素、モジュールなどのすべてを含まなくてもよいことを理解および諒解されたい。これらの手法の組合せを使用することもできる。
【００２６】
図１を参照すると、ワイヤレスネットワークにおいて周波数および／またはタイミングを同期させることを容易にする例示的なワイヤレス通信システム１００が示されている。システム１００は、様々な信号ソース１０４、１０６、および１０８とともに、実質的に任意のタイプの低電力基地局または説明したように少なくともその一部分であり得るフェムトノード１０２を備える。信号ソースは、それぞれがＧＰＳ信号ソース、マクロセル基地局信号ソースなどであり得るアンカー信号ソース１０４および／または１０６、それがアンカー信号ソースであることを示す別の信号ソースなどを含むことができる。非アンカー信号ソース１０８は、アンカーソースとして通知しない別のフェムトノード信号ソース、場合によってはマクロセル基地局信号ソースなどであり得る。
【００２７】
フェムトノード１０２は、フェムトノード１０２で送信するための信号を生成するための発振器構成要素１１０と、１つまたは複数のアンカーソースから信号を取得するための信号受信構成要素１１２と、１つまたは複数のアンカーソースからの信号が少なくともしきい値信号品質で受信されたかどうかを判定するための信号評価構成要素１１４と、１つまたは複数のアンカー信号と発振器構成要素１１０によって利用されるローカル周波数および／またはタイミングとの間の周波数および／またはタイミング差を計算することができる周波数／タイミング差判定構成要素１１６とを含むことができる。フェムトノードは、フェムトノード１０２のアンカーステータスを通知するおよび／または発振器構成要素１１０の周波数および／またはタイミングを更新するためのプロセスを変更するためのアンカーステータスインジケーティング構成要素１１８、ならびに／あるいは発振器構成要素１１０の周波数および／またはタイミングを１つまたは複数のアンカーソースに同期させるための周波数／タイミング同期化構成要素１２０を任意選択で含むことができる。
【００２８】
一例によれば、発振器構成要素１１０は、ワイヤレスネットワークにおいて信号を送信するための周波数および時間に従って動作することができる。発振器構成要素１１０は、フェムトノード１０２がワイヤレスネットワークにおいて他の基地局と同期して送信することを保証するために、１つまたは複数の基準信号に従ってチューニングされ得る。一例では、信号受信構成要素１１２は、１つたは複数の信号リソース１０４、１０６、および／または１０８から信号を取得することができる。この例では、信号評価構成要素１１４は、信号がアンカー信号リソース１０４および／または１０６からのものであるかどうか、そうである場合、信号が少なくともしきい値信号品質であるかどうかを判定することができる。信号が少なくともしきい値信号品質である場合、周波数／タイミング差判定構成要素１１６は、受信したアンカー信号の周波数および／またはタイミングと発振器構成要素１１０によって利用されるローカル周波数および／またはタイミングとの間の周波数および／またはタイミング差を計算することができる。
【００２９】
一例では、周波数／タイミング差判定構成要素１１６は、差がしきい値差内であるかどうかをさらに判定することができる。差がしきい値差内である場合、このことは、フェムトノード１０２の周波数および／またはタイミングがアンカー信号に対して十分に正確であることを示すことができる。さらに、この場合、アンカーステータスインジケーティング構成要素１１８は、フェムトノード１０２を他のフェムトノードまたは類似の基地局で周波数および／またはタイミングを判定するためのアンカーとして指定する１つまたは複数のブロードキャスト信号を送信することができる。たとえば、これは、他のフェムトノードが、同期させるべき周波数および／またはタイミングを得るために測定する信号であり得る。別の例では、アンカーステータスインジケーティング構成要素１１８は、アンカーステータス告示を１つまたは複数のフェムトノードに、フェムトノードへのバックホール接続を介して（たとえば、コアネットワークまたはそれ以外を介して）示すことができる。この例では、フェムトノード１０２は、アンカーステータスインジケーティング構成要素１１８が関連するプロセスを終了または一時停止する、より頻度が低い信号測定を行うようにプロセスを設定するといったことなどを含むことができる、周波数および／またはタイミング更新手順を実行するのを中止することができる。
【００３０】
周波数／タイミング差判定構成要素１１６が、アンカー信号から測定された周波数および／またはタイミングと発振器構成要素１１０の周波数および／またはタイミングとの間の周波数および／またはタイミングの差がしきい値差内にないと判定した場合、周波数／タイミング同期化構成要素１２０は、差に基づいて周波数および／またはタイミングを調整することによって、発振器構成要素１１０を１つまたは複数のアンカー信号に少なくとも部分的に同期させることができる。
【００３１】
別の例では、信号評価構成要素１１４が、アンカー信号が少なくともしきい値信号品質で受信されなかったおよび／または信号がアンカーソースからのものではない（たとえば、非アンカー信号ソース１０８から送られた信号）と判定した場合、周波数／タイミング差判定構成要素１１６は、発振器構成要素１１０のローカル周波数および／またはタイミングと比較した、受信した信号の各々の周波数および／またはタイミングとの間の周波数および／またはタイミング差を取得することができる。この例では、周波数／タイミング同期化構成要素１２０は、判定されたタイミング差に基づいて発振器構成要素１１０を同期させることができる。
【００３２】
一例では、周波数／タイミング差判定構成要素１１６が複数の周波数／タイミング差を計算した場合、周波数／タイミング同期化構成要素１２０は、対応する信号および／またはそのソースのタイプに部分的に基づいて、重みを各周波数／タイミング差に適用することができる。したがって、たとえば、信号評価構成要素１１４が、受信した信号がアンカーソースからのものであると判定した場合、周波数／タイミング差判定構成要素１１６は、信号が非アンカーソースからのものである場合よりも高い重みをその信号に割り当てることができる。さらに、説明したように、アンカーソースクラス内では、周波数／タイミング差判定構成要素１１６は、たとえば、マクロセル基地局からの信号に対する重みよりも高い重みをＧＰＳ信号に対して割り当てることができる。一例では、信号評価構成要素１１４は、信号のソースを、その１つまたは複数の特性（たとえば、信号が受信される周波数）、信号を取得し処理するために使用される受信機（たとえば、信号がＧＰＳ受信機などの専用の受信機によって受信されたか）などに少なくとも部分的に基づいて判定することができる。
【００３３】
別の例では、アンカー信号ソース１０４および／または１０６は、上記で説明したように、アンカーステータスを通知するフェムトノードであり得る。この例では、信号受信構成要素１１２は、アンカー信号ソース１０４から信号を取得することができ、信号評価構成要素１１４は、ソース１０４がアンカーフェムトノードであると判定することができる。たとえば、信号評価構成要素１１４は、信号内で受信され得る、アンカー信号ソース１０４からのインジケーションに少なくとも部分的に基づいて、そのように判定することができる。別の例では、信号評価構成要素１１４は、アンカー信号ソース１０４から受信された別の信号内の、アンカー信号ソース１０４からのインジケーションを、アンカー信号ソース１０４とのバックホール接続などを介して受信されたインジケーションとして受信することができる。この例では、信号評価構成要素１１４は、アンカー信号ソース１０４がアンカーフェムトノードであると判定したことに基づいて、重みを信号に割り当てることができる。一例では、重みは、ＧＰＳ信号および／またはマクロセル基地局信号に割り当てられた重みよりも小さくすることができる。
【００３４】
いずれの場合も、周波数／タイミング同期化構成要素１２０は、対応する重みを判定された周波数および／またはタイミング差に適用することによって、重み付き平均周波数および／またはタイミング差を計算することができる。一例では、周波数／タイミング同期化構成要素１２０は、以下の式に従って重み付き平均差Δを計算することができる。  
Δ＝ＳＵＭ（ｗi＊Δi）／ＳＵＭ（ｗi）  
式中、ｗiは、所与の信号に対して決定された重みであり、Δiは、その信号の周波数および／またはタイミングと発振器構成要素１１０によって使用されるローカル周波数および／またはタイミングとの間の差である。一例では、周波数／タイミング同期化構成要素１２０は、次いで、発振器構成要素１１０の周波数および／またはタイミングを量ε（ただし、０＜ε＜１）だけ調整することができる。
【００３５】
図２〜図４を参照すると、フェムトノードにおいて周波数および／またはタイミングを同期させることに関する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実装するために、図示のすべての行為が必要とされるとは限らない。
【００３６】
図２を参照すると、アンカーステータスを通知すべきかどうかを判定するのを容易にする、例示的な方法２００が表示されている。２０２において、１つまたは複数の信号が１つまたは複数のアンカーソースから受信され得る。たとえば、アンカーソースは、ＧＰＳソース、マクロセル基地局ソースなどを含むことができる。加えて、信号のいくつかの特性、ソースの信号内のインジケーション、信号が受信され処理される受信機（たとえば、専用のＧＰＳ受信機）などに基づいて、１つまたは複数の信号がアンカーソースからのものであると判定することができる。２０４において、１つまたは複数の信号のうちの少なくとも１つが、少なくともしきい値信号品質で受信されたと判定することができる。たとえば、このことは、信号対雑音比（ＳＮＲ）または類似の信号品質メトリックを判定することと、設定されたしきい値と比較して、少なくとも１つの信号が周波数および／または時間をその信号に同期させるのに十分な品質であると示すこととを含むことができる。
【００３７】
２０６において、ローカル周波数および／またはローカルタイミングの差が、１つまたは複数の信号のうちの少なくとも１つから決定された周波数および／またはタイミングとのしきい値差内であるかどうかを判定することができる。たとえば、少なくとも１つの信号から判定された周波数および／またはタイミングは、少なくとも１つの信号の実際の周波数および／またはタイミングと比較した、基準周波数および／またはタイミングを含むことができる。たとえば、少なくとも１つの信号がＧＰＳ信号である場合、その信号は、ローカル周波数のものと類似した実際の動作周波数を有さない場合がある。しかしながら、その信号を基準として使用して、動作周波数とローカル周波数との間の既知の差を比較して、基準周波数を決定することができる。２０６において、この例では、差はローカル周波数と基準周波数との間で判定される。２０８において、差がしきい値差内である場合にアンカーステータスを通知することができる。したがって、たとえば、しきい値差は、差が送信された信号をアンカーとして使用することができるほど十分に近いことを示すことに関し得る。しきい値を事前構成し、構成内で受信し、１つまたは複数のパラメータおよび／またはパラメータの履歴解析に基づいて判定することなどができることを諒解されたい。
【００３８】
図３を参照すると、ワイヤレスネットワークにおいてタイミングを同期させるための例示的な方法３００が示されている。３０２において、複数の信号が複数のアンカーソースまたは非アンカーソースから受信され得る。たとえば、このことは、１つまたは複数の受信機をチューニングして信号をリッスンすることと、信号を処理して周波数／タイミング情報、信号品質などの１つまたは複数のメトリックを判定することとを含むことができる。３０４において、複数の信号の各々とローカル周波数および／またはローカルタイミングとの間の周波数および／またはタイミングの差を判定することができる。説明したように、このことは、基準周波数および／またはタイミングとローカル周波数および／またはタイミングとの間の差を測定することを含むことができる。３０６において、重みは、ソースのタイプに部分的に基づいて、差の各々に割り当てられ得る。
【００３９】
たとえば、説明したように、ソースのタイプは、周波数、または信号が受信される受信機、そのタイプの別の信号内のインジケーションなどに基づいて判定され得る。したがって、たとえば、アンカーソースの信号からの差は、非アンカーソースの信号からの差よりも高く重み付けされ得る。加えて、たとえば、アンカーソース内では、ＧＰＳはマクロセル基地局からの差よりも高く重み付けされ得る。加えて、信号品質は、追加または代替として差に重み付けするために使用され得る。一例では、上記で説明したように、アンカーソースのうちの少なくとも１つは、それ自体をアンカーソースとして通知するフェムトノードであり得る。３０８において、ローカル周波数および／またはローカルタイミングは、差の各々に適用された重みを有する差の合計に少なくとも部分的に基づいて計算された重み付き平均差に従って、調整され得る。
【００４０】
図４を参照すると、ワイヤレスネットワークにおいて周波数および／またはタイミングを同期させるための例示的な方法４００が示されている。４０２において、近隣からの順方向リンク（ＦＬ）パイロットおよび／または同期信号がリッスンされ得る。説明したように、このことは、１つまたは複数の受信機（たとえば、ＧＰＳ受信機、ＬＴＥ受信機、ＷｉＦｉ受信機など）で行われ得る。４０４において、アンカー信号がしきい値品質を上回るかどうかを判定することができる。このことは、ＳＮＲまたは類似の信号のメトリックなどの信号品質を判定することと、事前構成することができるまたはさもなければ受信して信号品質が周波数および／またはタイミングをそれに同期させるのに十分であるかどうかを示すことができるしきい値と比較することとを含むことができる。アンカー信号がしきい値品質を上回る場合、４０６において、周波数差はローカル発振器と１つまたは複数のアンカーソースとの間で推定され得る。ローカル発振器はローカル周波数および／またはタイミングで動作することができ、上記で説明したように、差は４０６において判定され得る。
【００４１】
４０８において、ローカル周波数がしきい値差内であるかどうかを判定することができる。説明したように、このことは、ローカル周波数を信号から決定された基準周波数と比較することを含むことができる。ローカル周波数がしきい値差内である場合、４１０において、アンカーステータスがブロードキャストされ得る。たとえば、ブロードキャスト信号をそのようなインジケーションとともに送信することができ、インジケーションをバックホール接続などを介して１つまたは複数のフェムトノードに通信することができる。ローカル周波数がしきい値差内でない場合、４１２において、ローカル発振器をアンカーソースと同期させることができる。たとえば、このことは、差に従って、ローカル発振器によって利用される周波数を設定することを含むことができる。次いで、４０２において、追加のＦＬパイロット／同期信号が近隣からリッスンされ得る。
【００４２】
４０４において、アンカー信号がしきい値品質を上回らない場合、ローカル発振器と各信号との間の周波数差が推定され得る。たとえば、差は、ローカル発振器のローカル周波数と、アンカー信号に基づいて決定された周波数（たとえば、基準周波数）との間の差を計算することに基づいて推定され得る。４１６において、信号の重み付き平均差が計算され得る。たとえば、このことは、各差に適用された重みを有する差を加算することを含むことができる。説明したように、重みは、信号タイプ、信号品質などに対応することができる。４１８において、ローカル発振器は、重み付き平均差に基づいて調整され得る。このことは、一例では、重み付き平均差を係数で乗算することと、ローカル周波数に差を加算することまたはローカル周波数から差を減算することとを含むことができる。
【００４３】
図５を参照すると、上記で説明した概念を使用した、いくつかの反復における周波数差の正規化平均偏差を示す例示的なグラフ５００が示されている。いずれのアンカー信号品質も少なくともしきい値レベルでない場合、５０２において、周波数は時間とともにより同期するようになる。アンカー信号品質がしきい値レベルである場合、５０４において、ローカル発振器がさらなる調整からロックされ、説明したように、対応するフェムトノードをアンカーとして通知することができる。
【００４４】
本明細書で説明する１つまたは複数の態様によれば、説明したように、重み付けされたしきい値に適用するための係数を決定すること、１つまたは複数のしきい値を決定することなどに関する推論が行われ得ることを諒解されよう。本明細書で使用される場合、「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、イベントが時間的に近接して相関するか否かにかかわらず、ならびにイベントおよびデータが１つまたは複数のイベントソースおよびデータソースに由来するかどうかにかかわらず、観測されたイベントおよび／または記憶されたイベントデータのセットから新しいイベントまたはアクションが構成されることになる。
【００４５】
図６を参照すると、ワイヤレスネットワークにおいて周波数および／またはタイミングを同期させるためのシステム６００が示されている。たとえば、システム６００は、少なくとも部分的にフェムトノード内に常駐し得る。システム６００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム６００は、連携して動作することができる電気的構成要素の論理グルーピング６０２を含む。たとえば、論理グルーピング６０２は、１つまたは複数のアンカーソースから１つまたは複数の信号を受信するための電気的構成要素６０４を含むことができる。さらに、論理グルーピング６０２は、１つまたは複数の信号のうちの少なくとも１つが、少なくともしきい値信号品質で受信されたと判定するための電気的構成要素６０６を備えることができる。たとえば、説明したように、しきい値を事前構成またはさもなければ受信して、信号が同期化に使用するのに十分なほど強いかどうかを示すことができる。
【００４６】
さらに、論理グルーピング６０２は、ローカル周波数および／またはローカルタイミングの差が、１つまたは複数の信号のうちの少なくとも１つに基づいて決定された信号周波数および／または信号タイミングとのしきい値差内であるかどうかを判定するための電気的構成要素６０８を含むことができる。このことは、システム６００の周波数および／またはタイミングが、アンカーとして通知するのに十分正確であるかどうかを示すことができる。したがって、論理グルーピング６０２は、差がしきい値差内である場合にアンカーステータスを通知するための電気的構成要素６１０を含むこともできる。
【００４７】
たとえば、電気的構成要素６０４は、上記で説明したように、信号受信構成要素１１２を含むことができる。加えて、たとえば、上記で説明したように、電気的構成要素６０６は、一態様では、信号評価構成要素１１４を含むことができる。さらに、たとえば、電気的構成要素６０８は周波数／タイミング差判定構成要素１１６を含むことができ、および／または電気的構成要素６１０はアンカーステータス指示構成要素１１８を含むことができる。
【００４８】
さらに、システム６００は、電気的構成要素６０４、６０６、６０８、および６１０に関連付けられた機能を実行するための命令を保持するメモリ６１２を含むことができる。メモリ６１２の外部にあるものとして示されているが、電気的構成要素６０４、６０６、６０８、および６１０のうちの１つまたは複数は、メモリ６１２の内部に存在することができることを理解されたい。一例では、電気的構成要素６０４、６０６、６０８、および６１０は、少なくとも１つのプロセッサを備え得るか、または、各電気的構成要素６０４、６０６、６０８、および６１０は、少なくとも１つのプロセッサの対応するモジュールであり得る。さらに、追加または代替の例では、電気的構成要素６０４、６０６、６０８、および６１０は、コンピュータ可読媒体を備えるコンピュータプログラム製品であり得、各電気的構成要素６０４、６０６、６０８、および６１０は、対応するコードであり得る。
【００４９】
図７を参照すると、ワイヤレスネットワークにおいて周波数および／またはタイミングを同期させるためのシステム７００が示されている。たとえば、システム７００は、少なくとも部分的にフェムトノード内に常駐し得る。システム７００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム７００は、連携して動作することができる電気的構成要素の論理グルーピング７０２を含む。たとえば、論理グルーピング７０２は、複数のソースから複数の信号を受信するための電気的構成要素７０４を含むことができる。たとえば、１つまたは複数のソースはアンカーまたは非アンカーであってもよく、異なるタイプ（たとえば、ＧＰＳ、マクロセル基地局、アンカーステータスを通知するまたは通知しないフェムトノードなど）であってもよい。
【００５０】
さらに、論理グルーピング７０２は、複数のソースからの１つのソースが、複数の信号のソースから受信されたインジケーションに少なくとも部分的に基づくアンカー信号ソースであるかどうかを判定するための電気的構成要素７０６を備えることができる。一態様では、インジケーションは対応するフェムトセルから受信され得る。別の態様では、インジケーションはフェムトノードとのバックホール接続を介して受信され得る。
【００５１】
さらに、論理グルーピング７０２は、複数の信号の各々とローカル周波数および／またはローカルタイミングとの間の周波数および／またはタイミングの差を判定するための電気的構成要素７０８を備えることができる。
【００５２】
さらに、任意の態様では、論理グルーピング７０２は、ソースのタイプに部分的に基づいて差の各々に重みを割り当てるための電気的構成要素７０８を含むことができる。たとえば、アンカーソースおよび／またはＧＰＳなどの他のより信頼性が高いソースの場合、より高い重みを割り当てることができる。加えて、論理グルーピング７０２は、差の各々に適用された重みを有する差の合計に部分的に基づいて計算された、重み付けされた平均差に従って、ローカル周波数および／またはローカルタイミングを調整するための電気的構成要素７１２を含むことができる。
【００５３】
たとえば、電気的構成要素７０４は、上記で説明したように、信号受信構成要素１１２を含むことができる。加えて、たとえば、電気的構成要素７０６および７０８は、一態様では、上記で説明したように、周波数／タイミング差判定構成要素１１６を含むことができる。さらに、任意選択の態様では、電気的構成要素７１０および７１２は、たとえば、周波数／タイミング同期化構成要素１２０の一部であり得る。
【００５４】
さらに、システム７００は、電気的構成要素７０４、７０６、７０８、７１０、および７１２に関連付けられた機能を実行するための命令を保持するメモリ７１４を含むことができる。メモリ７１４の外部にあるものとして示されているが、電気的構成要素７０４、７０６、７０８、７１０、および７１２のうちの１つまたは複数は、メモリ７１４の内部に存在することができることを理解されたい。一例では、電気的構成要素７０４、７０６、７０８、７１０、および７１２は、少なくとも１つのプロセッサを備え得るか、または、各電気的構成要素７０４、７０６、７０８、７１０、および７１２は、少なくとも１つのプロセッサの対応するモジュールであり得る。さらに、追加または代替の例では、電気的構成要素７０４、７０６、７０８、７１０、および７１２は、コンピュータ可読媒体を備えるコンピュータプログラム製品であり得、各電気的構成要素７０４、７０６、７０８、７１０、および７１２は、対応するコードであり得る。
【００５５】
次に図８を参照すると、本明細書で提示される様々な実施形態によるワイヤレス通信システム８００が示されている。システム８００は、複数のアンテナグループを含むことができる基地局８０２を備える。たとえば、１つのアンテナグループはアンテナ８０４および８０６を含むことができ、別のグループはアンテナ８０８および８１０を備えることができ、さらなるグループはアンテナ８１２および８１４を含むことができる。アンテナグループごとに２つのアンテナが示されているが、グループごとにより多いまたはより少ないアンテナを利用することができる。基地局８０２はさらに、送信機チェーンと受信機チェーンとを含んでよく、送信機チェーンおよび受信機チェーンの各々は、諒解されるように、信号の送信および受信に関連する複数のコンポーネント（たとえば、プロセッサ、変調器、マルチプレクサ、復調器、デマルチプレクサ、アンテナなど）を備え得る。
【００５６】
基地局８０２は、モバイルデバイス８１６およびモバイルデバイス８２２などの１つまたは複数のモバイルデバイスと通信することができるが、基地局８０２は、モバイルデバイス８１６および８２２と同様の実質的にいかなる数のモバイルデバイスとも通信できることを諒解されたい。モバイルデバイス８１６および８２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム８００を介して通信するための任意の他の適切なデバイスであってよい。図示のように、モバイルデバイス８１６は、アンテナ８１２および８１４と通信しており、アンテナ８１２および８１４は、順方向リンク８１８を介して情報をモバイルデバイス８１６に送信し、逆方向リンク８２０を介してモバイルデバイス８１６から情報を受信する。さらに、モバイルデバイス８２２は、アンテナ８０４および８０６と通信しており、アンテナ８０４および８０６は、順方向リンク８２４を介して情報をモバイルデバイス８２２に送信し、逆方向リンク８２６を介してモバイルデバイス８２２から情報を受信する。周波数分割複信（ＦＤＤ）システムでは、たとえば、順方向リンク８１８は、逆方向リンク８２０によって使用される周波数帯とは異なる周波数帯を利用し、順方向リンク８２４は、逆方向リンク８２６によって使用される周波数帯とは異なる周波数帯を使用することができる。さらに、時分割複信（ＴＤＤ）システムでは、順方向リンク８１８および逆方向リンク８２０は共通の周波数帯を利用し、順方向リンク８２４および逆方向リンク８２６は共通の周波数帯を利用することができる。
【００５７】
アンテナの各グループおよび／またはそれらが通信するように指定されたエリアは、基地局８０２のセクタと呼ばれることがある。たとえば、アンテナグループは、基地局８０２によってカバーされるエリアのセクタ中のモバイルデバイスと通信するように設計され得る。順方向リンク８１８および８２４を介した通信では、基地局８０２の送信アンテナは、モバイルデバイス８１６および８２２についての順方向リンク８１８および８２４の信号対雑音比を向上させるためにビームフォーミングを利用することができる。また、基地局８０２が、関連するカバレージ中に不規則に散在するモバイルデバイス８１６および８２２に送信するためにビームフォーミングを利用する間は、基地局が単一のアンテナを介してその基地局のすべてのモバイルデバイスに送信する場合と比較して、隣接セル内のモバイルデバイスは干渉を受けにくくなり得る。さらに、モバイルデバイス８１６および８２２は、図示のようにピアツーピアまたはアドホック技術を使用して互いに直接通信することができる。一例によれば、システム８００は多入力多出力（ＭＩＭＯ）通信システムであり得る。
【００５８】
図９は、例示的なワイヤレス通信システム９００を示す。ワイヤレス通信システム９００には、簡潔のために、１つの基地局９１０と、１つのモバイルデバイス９５０とを示してある。ただし、システム９００は、２つ以上の基地局および／または２つ以上のモバイルデバイスを含むことができ、追加の基地局および／またはモバイルデバイスは、以下で説明する例示的な基地局９１０およびモバイルデバイス９５０と実質的に同様または異なるものとすることができることを諒解されたい。加えて、基地局９１０および／またはモバイルデバイス９５０は、それらの間のワイヤレス通信を容易にするために、本明細書で説明するシステム（図１、図６および図７）および／または方法（図２〜図４）を採用することができることを諒解されたい。たとえば、本明細書で説明するシステムおよび／または方法の構成要素または機能は、以下で説明するメモリ９３２および／または９７２あるいはプロセッサ９３０および／または９７０の一部であり得、ならびに／あるいは開示する機能を実行するためにプロセッサ９３０および／または９７０によって実行され得る。
【００５９】
基地局９１０において、いくつかのデータストリームのトラフィックデータがデータソース９１２から送信（ＴＸ）データプロセッサ９１４に与えられる。一例によれば、各データストリームは、それぞれのアンテナを介して送信され得る。ＴＸデータプロセッサ９１４は、トラフィックデータストリーム用に選択された特定の符号化方式に基づいて、そのデータストリームをフォーマット化し、符号化し、インタリーブして、符号化データを与える。
【００６０】
各データストリームの符号化データは、直交周波数分割多重（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される、知られているデータパターンであり、チャネル応答を推定するためにモバイルデバイス９５０において使用され得る。各データストリームの多重化されたパイロットデータおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）されて、変調シンボルを与えることができる。各データストリームのデータレート、符号化、および変調は、プロセッサ９３０によって実行または提供される命令によって決定され得る。
【００６１】
データストリームの変調シンボルはＴＸ  ＭＩＭＯプロセッサ９２０に供給されてよく、ＴＸ  ＭＩＭＯプロセッサ９２０は、（たとえば、ＯＦＤＭ用に）変調シンボルをさらに処理することができる。次いで、ＴＸ  ＭＩＭＯプロセッサ９２０は、ＮT個の変調シンボルストリームをＮT個の送信機（ＴＭＴＲ）９２２ａ〜９２２ｔに供給する。様々な実施形態では、ＴＸ  ＭＩＭＯプロセッサ９２０は、データストリームのシンボルと、シンボルの送信元のアンテナとにビームフォーミング重みを適用する。
【００６２】
各送信機９２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機９２２ａ〜９２２ｔからのＮT個の変調信号は、ＮT個のアンテナ９２４ａ〜９２４ｔからそれぞれ送信される。
【００６３】
モバイルデバイス９５０では、送信された変調信号はＮR個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００６４】
ＲＸデータプロセッサ９６０は、特定の受信機処理技法に基づいてＮR個の受信機９５４からＮR個の受信シンボルストリームを受信し、処理して、ＮT個の「検出」シンボルストリームを与えることができる。ＲＸデータプロセッサ９６０は、各検出シンボルストリームを復調し、デインタリーブし、復号して、データストリームのトラフィックデータを復元することができる。ＲＸデータプロセッサ９６０による処理は、基地局９１０においてＴＸ  ＭＩＭＯプロセッサ９２０およびＴＸデータプロセッサ９１４によって実行される処理を補足するものである。
【００６５】
逆方向リンクメッセージは、通信リンクおよび／または受信データストリームに関する様々なタイプの情報を備えることができる。逆方向リンクメッセージは、データソース９３６から複数のデータストリームのトラフィックデータをも受信するＴＸデータプロセッサ９３８によって処理され、変調器９８０によって変調され、送信機９５４ａ〜９５４ｒによって調整され、基地局９１０に送り返され得る。
【００６６】
基地局９１０において、モバイルデバイス９５０からの変調信号は、アンテナ９２４によって受信され、受信機９２２によって調整され、復調器９４０によって復調され、ＲＸデータプロセッサ９４２によって処理されて、モバイルデバイス９５０によって送信された逆方向リンクメッセージが抽出される。さらに、プロセッサ９３０は、抽出されたメッセージを処理して、ビームフォーミング重みを決定するためにどのプリコーディング行列を使用すべきかを判定することができる。
【００６７】
プロセッサ９３０および９７０は、それぞれ基地局９１０およびモバイルデバイス９５０における動作を指示（たとえば、制御、調整、管理など）することができる。それぞれのプロセッサ９３０および９７０は、プログラムコードおよびデータを記憶するメモリ９３２および９７２に関連付けられ得る。また、プロセッサ９３０および９７０は、本明細書で説明する機能を実行して、周波数および／またはタイミング同期化をサポートすることができる。
【００６８】
図１０は、本明細書の教示が実装され得る、何人かのユーザをサポートするように構成されたワイヤレス通信システム１０００を示す。システム１０００は、たとえば、マクロセル１００２Ａ〜１００２Ｇなどの、複数のセル１００２のための通信を実現し、各セルは、対応するアクセスノード１００４（たとえば、アクセスノード１００４Ａ〜１００４Ｇ）によってサービスされる。図１０に示すように、アクセス端末１００６（たとえば、アクセス端末１００６Ａ〜１００６Ｌ）は、時間とともにシステム全体にわたって様々な場所に分散し得る。各アクセス端末１００６は、たとえば、アクセス端末１００６がアクティブかどうか、およびアクセス端末１００６がソフトハンドオフ中かどうかに応じて、所与の瞬間に順方向リンク（ＦＬ）および／または逆方向リンク（ＲＬ）上で１つまたは複数のアクセスノード１００４と通信することができる。ワイヤレス通信システム１０００は、広い地理的領域にわたってサービスを提供することができる。
【００６９】
図１１は、１つまたは複数のフェムトノードがネットワーク環境内に展開された、例示的な通信システム１１００を示す。具体的には、システム１１００は、比較的小規模のネットワーク環境中に（たとえば、１つまたは複数のユーザの住居１１３０中に）設置された複数のフェムトノード１１１０Ａおよび１１１０Ｂ（たとえば、フェムトセルノードまたはＨ（ｅ）ＮＢ）を含む。各フェムトノード１１１０は、デジタル加入者回線（ＤＳＬ）ルータ、ケーブルモデム、ワイヤレスリンク、または他の接続手段（図示せず）を介して、ワイドエリアネットワーク１１４０（たとえば、インターネット）とモバイル事業者コアネットワーク１１５０とに結合され得る。以下で説明するように、各フェムトノード１１１０は、関連するアクセス端末１１２０（たとえば、アクセス端末１１２０Ａ）と、任意選択で、外来アクセス端末１１２０（たとえば、アクセス端末１１２０Ｂ）とをサービスするように構成され得る。言い換えれば、フェムトノード１１１０へのアクセスは、所与のアクセス端末１１２０が、指定された（１つまたは複数の）（たとえば、ホーム）フェムトノード１１１０のセットによってサービスされ得るが、いかなる指定されていないフェムトノード１１１０（たとえば、近隣のフェムトノード）によってもサービスされ得ないように制限され得る。
【００７０】
図１２は、いくつかのトラッキングエリア１２０２（またはルーティングエリアまたはロケーションエリア）が画定されたカバレージマップ１２００の例を示し、そのエリアの各々はいくつかのマクロカバレージエリア１２０４を含む。ここで、トラッキングエリア１２０２Ａ、１２０２Ｂ、および１２０２Ｃに関連付けられたカバレージのエリアは太線によって示され、マクロカバレージエリア１２０４は六角形によって表される。トラッキングエリア１２０２はフェムトカバレージエリア１２０６も含む。この例では、フェムトカバレージエリア１２０６の各々（たとえば、フェムトカバレージエリア１２０６Ｃ）は、マクロカバレージエリア１２０４（たとえば、マクロカバレージエリア１２０４Ｂ）内に示される。ただし、フェムトカバレージエリア１２０６は、完全にマクロカバレージエリア１２０４内にあるとは限らないことを諒解されたい。実際には、多数のフェムトカバレージエリア１２０６が、所与のトラッキングエリア１２０２またはマクロカバレージエリア１２０４とともに画定され得る。また、１つまたは複数のピコカバレージエリア（図示せず）が、所与のトラッキングエリア１２０２またはマクロカバレージエリア１２０４内で画定され得る。
【００７１】
再び図１１を参照すると、フェムトノード１１１０の所有者は、たとえば、３Ｇモバイルサービスなど、モバイル事業者コアネットワーク１１５０を介して提供されるモバイルサービスに加入することができる。別の例では、フェムトノード１１１０をモバイル事業者コアネットワーク１１５０によって動作させて、ワイヤレスネットワークのカバレージを拡大することができる。加えて、アクセス端末１１２０は、マクロ環境と、より小規模の（たとえば、宅内）ネットワーク環境の両方で動作することが可能であり得る。したがって、たとえば、アクセス端末１１２０の現在の場所に応じて、アクセス端末１１２０は、マクロセルアクセスノード１１６０によって、または、フェムトノード１１１０のセットのうちのいずれか１つ（たとえば、対応するユーザ住居１１３０内に常駐するフェムトノード１１１０Ａおよび１１１０Ｂ）によってサービスされ得る。たとえば、加入者は、自宅の外にいるときは標準のマクロセルアクセスノード（たとえば、ノード１１６０）によってサービスされ、自宅にいるときはフェムトノード（たとえば、ノード１１１０Ａ）によってサービスされる。ここで、フェムトノード１１１０は既存のアクセス端末１１２０と後方互換性があり得ることを諒解されたい。
【００７２】
フェムトノード１１１０は、単一の周波数で展開され、または代替として、複数の周波数で展開され得る。具体的な構成に応じて、単一の周波数、あるいは複数の周波数のうちの１つまたは複数は、マクロセルアクセスノード（たとえば、ノード１１６０）によって使用される１つまたは複数の周波数と重複することがある。いくつかの態様では、アクセス端末１１２０は、そのような接続が可能であるときはいつでも、好ましいフェムトノード（たとえば、アクセス端末１１２０のホームフェムトノード）に接続するように構成され得る。たとえば、アクセス端末１１２０は、ユーザの住居１１３０内にあるときはいつでも、ホームフェムトノード１１１０と通信することができる。
【００７３】
いくつかの態様では、アクセス端末１１２０がモバイル事業者コアネットワーク１１５０内で動作しているが、（たとえば、好適なローミングリスト中で定義された）その最も好適なネットワーク上には常駐していない場合、アクセス端末１１２０は、ベターシステムリセレクション（ＢＳＲ：Better System Reselection）を使用して、最も好適なネットワーク（たとえば、フェムトノード１１１０）を探索し続けることができ、ベターシステムリセレクションでは、利用可能なシステムの定期的なスキャンを行って、より良好なシステムが現在利用可能であるかどうかを判定し、その後、そのような好適なシステムと関連付けようとすることができる。一例では、アクセス端末１１２０は、（たとえば、好適なローミングリスト中の）収集テーブルエントリを使用して、特定の帯域およびチャネルについて探索を制限することができる。たとえば、最も好適なシステムの探索は、定期的に繰り返され得る。フェムトノード１１１０などの好適なフェムトノードが発見されると、アクセス端末１１２０は、そのカバレージエリア内に留まるためのフェムトノード１１１０を選択する。
【００７４】
いくつかの態様では、フェムトノードは制限され得る。たとえば、所与のフェムトノードが、いくつかのサービスをいくつかのアクセス端末のみに提供し得る。いわゆる制限（または限定）された関連付けを用いた展開では、所与のアクセス端末が、マクロセルモバイルネットワークと、フェムトノードの定義されたセット（たとえば、対応するユーザ住居１１３０内に常駐するフェムトノード１１１０）とによってのみ、サービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【００７５】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【００７６】
したがって、所与のフェムトノードと所与のアクセス端末との間に様々な関係が存在することがある。たとえば、アクセス端末の観点から、オープンフェムトノードが、制限された関連付けをもたないフェムトノードを指し得る。制限されたフェムトノードは、何らかの形で制限された（たとえば、関連付けおよび／または登録について制限された）フェムトノードを指し得る。ホームフェムトノードは、アクセス端末がアクセスしその上で動作することを認証される、フェムトノードを指し得る。ゲストフェムトノードは、アクセス端末がアクセスするかまたはその上で動作することを一時的に認証される、フェムトノードを指し得る。外来フェムトノードは、おそらく非常事態（たとえば、９１１番）を除いて、アクセス端末がアクセスするかまたはその上で動作することを認証されない、フェムトノードを指し得る。
【００７７】
制限フェムトノードの観点から、ホームアクセス端末は、制限されたフェムトノードへのアクセスを認証されるアクセス端末を指し得る。ゲストアクセス端末は、制限されたフェムトノードへの一時的なアクセス権をもつアクセス端末を指し得る。外来アクセス端末は、おそらく非常事態、たとえば、９１１呼を除いて、制限されたフェムトノードにアクセスする許可を有さないアクセス端末（たとえば、制限されたフェムトノードに登録するための証明書または許可を有さないアクセス端末）を指し得る。
【００７８】
便宜上、本明細書の開示では、フェムトノードの文脈で様々な機能について説明する。ただし、ピコノードは、フェムトノードと同じまたは同様の機能をより大きいカバレージエリアに提供できることを諒解されたい。たとえば、所与のアクセス端末に対して、ピコノードを制限すること、ホームピコノードを定義することなどが行われ得る。
【００７９】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）は、基地局から端末への通信リンクを指し、逆方向リンク（またはアップリンク）は、端末から基地局への通信リンクを指す。この通信リンクは、単入力単出力システム、ＭＩＭＯシステム、または何らかの他のタイプのシステムを介して確立され得る。
【００８０】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上記で説明したステップおよび／またはアクションの１つまたは複数を実行するように動作可能な１つまたは複数のモジュールを備えることができる。例示的な記憶媒体は、プロセッサが記憶媒体から情報を読み取り、記憶媒体に情報を書き込むことができるようにプロセッサに結合される。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別構成要素として常駐することができる。
【００８１】
１つまたは複数の態様では、説明した機能、方法、またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージもしくは他の磁気記憶デバイス、あるいは命令またはデータ構造の形態の所望のプログラムコードを搬送または記憶するために使用でき、コンピュータによってアクセスできる任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用する場合、ディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常データをレーザで光学的に再生する。上記の組合せもコンピュータ可読媒体の範囲内に含めるべきである。
【００８２】
上記の開示は、例示的な態様および／または実施形態について論じているが、添付の特許請求の範囲によって定義された説明した態様および／または実施形態の範囲から逸脱することなく、様々な変更および改変を本明細書で行い得ることに留意されたい。さらに、説明した態様および／または実施形態の要素は、単数形で説明または特許請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
ワイヤレスネットワークにおいて周波数および／またはタイミングを同期させるための方法であって、
１つまたは複数のアンカーソースから１つまたは複数の信号を受信することと、
前記１つまたは複数の信号のうちの少なくとも１つが、少なくともしきい値信号品質で受信されたと判定することと、
ローカル周波数および／またはローカルタイミングの差が、前記１つまたは複数の信号のうちの前記少なくとも１つに基づいて決定された信号周波数および／または信号タイミングとのしきい値差内であるかどうかを判定することと、
前記差が前記しきい値差内である場合にアンカーステータスを通知することと
を備える方法。
［Ｃ２］
前記差が前記しきい値差内であると判定すると、周波数および／またはタイミング更新手順を終了または一時停止することをさらに備える、
［Ｃ１］に記載の方法。
［Ｃ３］
前記差が前記しきい値差内でない場合に前記ローカル周波数および／または前記ローカルタイミングを前記信号周波数および／または前記信号タイミングに同期させることをさらに備える、
［Ｃ１］に記載の方法。
［Ｃ４］
前記アンカーステータスを前記通知することは、前記アンカーステータスを示すブロードキャスト信号を送信することを備える、
［Ｃ１］に記載の方法。
［Ｃ５］
前記アンカーステータスを前記通知することは、バックホール接続を介して、１つまたは複数のフェムトノードに前記アンカーステータスを知らせることを備える、
［Ｃ１］に記載の方法。
［Ｃ６］
ワイヤレスネットワークにおいて周波数および／またはタイミングを同期させるための装置であって、
１つまたは複数のアンカーソースから１つまたは複数の信号を受信し、
前記１つまたは複数の信号のうちの少なくとも１つが、少なくともしきい値信号品質で受信されたと判定し、
ローカル周波数および／またはローカルタイミングの差が、前記１つまたは複数の信号のうちの前記少なくとも１つに基づいて決定された信号周波数および／または信号タイミングとのしきい値差内であるかどうかを判定し、
前記差が前記しきい値差内である場合にアンカーステータスを通知する
ように構成された少なくとも１つのプロセッサと、
前記少なくとも１つのプロセッサに結合されたメモリと
を備える、装置。
［Ｃ７］
前記少なくとも１つのプロセッサは、前記差が前記しきい値差内であると判定すると、周波数および／またはタイミング更新手順を終了または一時停止するようにさらに構成される、
［Ｃ６］に記載の装置。
［Ｃ８］
前記少なくとも１つのプロセッサは、前記差が前記しきい値差内でない場合に前記ローカル周波数および／または前記ローカルタイミングを前記信号周波数および／または前記信号タイミングに同期させるようにさらに構成される、
［Ｃ６］に記載の装置。
［Ｃ９］
前記少なくとも１つのプロセッサは、前記アンカーステータスを示すブロードキャスト信号を送信することによって、部分的に前記アンカーステータスを通知する、
［Ｃ６］に記載の装置。
［Ｃ１０］
前記少なくとも１つのプロセッサは、バックホール接続を介して、１つまたは複数のフェムトノードに前記アンカーステータスを知らせることによって、部分的に前記アンカーステータスを通知する、
［Ｃ６］に記載の装置。
［Ｃ１１］
ワイヤレスネットワークにおいて周波数および／またはタイミングを同期させるための装置であって、
１つまたは複数のアンカーソースから１つまたは複数の信号を受信するための手段と、
前記１つまたは複数の信号のうちの少なくとも１つが、少なくともしきい値信号品質で受信されたと判定するための手段と、
ローカル周波数および／またはローカルタイミングの差が、前記１つまたは複数の信号のうちの前記少なくとも１つに基づいて決定された信号周波数および／または信号タイミングとのしきい値差内であるかどうかを判定するための手段と、
前記差が前記しきい値差内である場合にアンカーステータスを通知するための手段と
を備える、装置。
［Ｃ１２］
前記アンカーステータスを通知するための前記手段が、前記差が前記しきい値差内であると判定すると、周波数および／またはタイミング更新手順を終了または一時停止する、
［Ｃ１１］に記載の装置。
［Ｃ１３］
前記差が前記しきい値差内でない場合に前記ローカル周波数および／または前記ローカルタイミングを前記信号周波数および／または前記信号タイミングに同期させるための手段をさらに備える、
［Ｃ１１］に記載の装置。
［Ｃ１４］
前記通知するための手段は、前記アンカーステータスを示すブロードキャスト信号を送信することによって、部分的に前記アンカーステータスを通知する、
［Ｃ１１］に記載の装置。
［Ｃ１５］
前記通知するための手段は、バックホール接続を介して、１つまたは複数のフェムトノードに前記アンカーステータスを知らせることによって、部分的に前記アンカーステータスを通知する、
［Ｃ１１］に記載の装置。
［Ｃ１６］
ワイヤレスネットワークにおいて周波数および／またはタイミングを同期させるためのコンピュータプログラム製品であって、
少なくとも１つのコンピュータに、１つまたは複数のアンカーソースから１つまたは複数の信号を受信させるためのコードと、
前記少なくとも１つのコンピュータに、前記１つまたは複数の信号のうちの少なくとも１つが、少なくともしきい値信号品質で受信されたと判定させるためのコードと、
前記少なくとも１つのコンピュータに、ローカル周波数および／またはローカルタイミングの差が、前記１つまたは複数の信号のうちの前記少なくとも１つに基づいて決定された信号周波数および／または信号タイミングとのしきい値差内であるかどうかを判定させるためのコードと、
前記少なくとも１つのコンピュータに、前記差が前記しきい値差内である場合にアンカーステータスを通知させるためのコードと
を備えるコンピュータ可読媒体
を備えるコンピュータプログラム製品。
［Ｃ１７］
前記コンピュータ可読媒体は、前記少なくとも１つのコンピュータに、前記差が前記しきい値差内であると判定すると、周波数および／またはタイミング更新手順を終了または一時停止させるためのコードをさらに備える、
［Ｃ１６］に記載のコンピュータプログラム製品。
［Ｃ１８］
前記コンピュータ可読媒体は、前記少なくとも１つのコンピュータに、前記差が前記しきい値差内でない場合に前記ローカル周波数および／または前記ローカルタイミングを前記信号周波数および／または前記信号タイミングに同期させるためのコードをさらに備える、
［Ｃ１６］に記載のコンピュータプログラム製品。
［Ｃ１９］
前記少なくとも１つのコンピュータに通知させるための前記コードは、前記アンカーステータスを示すブロードキャスト信号を送信することによって、部分的に前記アンカーステータスを通知する、
［Ｃ１６］に記載のコンピュータプログラム製品。
［Ｃ２０］
前記少なくとも１つのコンピュータに通知させるための前記コードは、バックホール接続を介して、１つまたは複数のフェムトノードに前記アンカーステータスを知らせることによって、部分的に前記アンカーステータスを通知する、
［Ｃ１６］に記載のコンピュータプログラム製品。
［Ｃ２１］
ワイヤレスネットワークにおいて周波数および／またはタイミングを同期させるための方法であって、
複数のソースから複数の信号を受信することと、
前記複数のソースからの１つのソースが、前記複数の信号の前記ソースから受信されたインジケーションに少なくとも部分的に基づくアンカー信号ソースであるかどうかを判定することと、
前記複数の信号の各々とローカル周波数および／またはローカルタイミングとの間の周波数および／またはタイミングの差を判定することと
を備える、方法。
［Ｃ２２］
前記複数のソースのタイプに部分的に基づいて、前記差の各々に重みを割り当てることと、
前記差の各々に適用された前記重みを有する前記差の合計に部分的に基づいて計算された重み付き平均差に従って、前記ローカル周波数および／または前記ローカルタイミングを調整することと
をさらに備える、［Ｃ２１］に記載の方法。
［Ｃ２３］
前記複数のソースのうちの少なくとも１つのソースが、前記複数のソースのうちの別のソースとは異なる、
［Ｃ２１］に記載の方法。
［Ｃ２４］
前記複数のソースのうちの前記少なくとも１つのソースは、フェムトノードである、
［Ｃ２３］に記載の方法。
［Ｃ２５］
前記インジケーションを前記受信することは、前記フェムトノードに対応する前記複数の信号の１つにおける前記インジケーションを受信することを備える、
［Ｃ２４］に記載の方法。
［Ｃ２６］
前記インジケーションを前記受信することは、
前記フェムトノードとのバックホール接続を介して前記インジケーションを受信することを備える、［Ｃ２４］に記載の方法。
［Ｃ２７］
ワイヤレスネットワークにおいて周波数および／またはタイミングを同期させるための装置であって、
複数のソースから複数の信号を受信し、
前記複数のソースからの１つのソースは、前記複数の信号の前記ソースから受信されたインジケーションに少なくとも部分的に基づくアンカー信号ソースであるかどうかを判定し、
前記複数の信号の各々とローカル周波数および／またはローカルタイミングとの間の周波数および／またはタイミングの差を判定する
ように構成された少なくとも１つのプロセッサと、
前記少なくとも１つのプロセッサに結合されたメモリと
を備える、装置。
［Ｃ２８］
前記少なくとも１つのプロセッサは、
前記複数のソースのタイプに部分的に基づいて、前記差の各々に重みを割り当て、
前記差の各々に適用された前記重みを有する前記差の合計に部分的に基づいて計算された重み付き平均差に従って、前記ローカル周波数および／または前記ローカルタイミングを調整する
ようにさらに構成される、［Ｃ２７］に記載の装置。
［Ｃ２９］
前記複数のソースのうちの少なくとも１つのソースは、前記複数のソースのうちの別のソースとは異なる、
［Ｃ２７］に記載の装置。
［Ｃ３０］
前記複数のソースのうちの前記少なくとも１つのソースは、フェムトノードである、
［Ｃ２９］に記載の装置。
［Ｃ３１］
前記少なくとも１つのプロセッサは、前記フェムトノードに対応する前記複数の信号の１つにおける前記インジケーションを受信するようにさらに構成される、
［Ｃ３０］に記載の装置。
［Ｃ３２］
前記少なくとも１つのプロセッサは、前記フェムトノードとのバックホール接続を介して前記インジケーションを受信するようにさらに構成される、
［Ｃ３０］に記載の装置。
［Ｃ３３］
ワイヤレスネットワークにおいて周波数および／またはタイミングを同期させるための装置であって、
複数のソースから複数の信号を受信するための手段と、
前記複数のソースからの１つのソースは、前記複数の信号の前記ソースから受信されたインジケーションに少なくとも部分的に基づくアンカー信号ソースであるかどうかを判定するための手段と、
前記複数の信号の各々とローカル周波数および／またはローカルタイミングとの間の周波数および／またはタイミングの差を判定するための手段と
を備える、装置。
［Ｃ３４］
前記複数のソースのタイプに部分的に基づいて、前記差の各々に重みを割り当てるための手段と、
前記差の各々に適用された前記重みを有する前記差の合計に部分的に基づいて計算された重み付き平均差に従って、前記ローカル周波数および／または前記ローカルタイミングを調整するための手段と
をさらに備える、［Ｃ３３］に記載の装置。
［Ｃ３５］
前記複数のソースのうちの少なくとも１つのソースは、前記複数のソースのうちの別のソースとは異なる、
［Ｃ３３］に記載の装置。
［Ｃ３６］
前記複数のソースのうちの前記少なくとも１つのソースは、フェムトノードである、
［Ｃ３５］に記載の装置。
［Ｃ３７］
受信するための前記手段は、前記フェムトノードに対応する前記複数の信号の１つにおける前記インジケーションを受信するようにさらに構成される、
［Ｃ３６］に記載の装置。
［Ｃ３８］
受信するための前記手段は、前記フェムトノードとのバックホール接続を介して前記インジケーションを受信するようにさらに構成される、
［Ｃ３６］に記載の装置。
［Ｃ３９］
ワイヤレスネットワークにおいて周波数および／またはタイミングを同期させるためのコンピュータプログラム製品であって、
少なくとも１つのコンピュータに、複数のソースから複数の信号を受信させるためのコードと、
前記少なくとも１つのコンピュータに、前記複数のソースからの１つのソースは、前記複数の信号の前記ソースから受信されたインジケーションに少なくとも部分的に基づくアンカー信号ソースであるかどうかを判定させるためのコードと、
前記少なくとも１つのコンピュータに、前記複数の信号の各々とローカル周波数および／またはローカルタイミングとの間の周波数および／またはタイミングの差を判定させるためのコードと
を備えるコンピュータ可読媒体
を備えるコンピュータプログラム製品。
［Ｃ４０］
前記コンピュータ可読媒体は、
前記少なくとも１つのコンピュータに、前記複数のソースのタイプに部分的に基づいて、前記差の各々に重みを割り当てさせるためのコードと、
前記少なくとも１つのコンピュータに、前記差の各々に適用された前記重みを有する前記差の合計に部分的に基づいて計算された重み付き平均差に従って、前記ローカル周波数および／または前記ローカルタイミングを調整させるためのコードと
をさらに備える、［Ｃ３９］に記載のコンピュータプログラム製品。
［Ｃ４１］
前記複数のソースのうちの少なくとも１つのソースは、前記複数のソースのうちの別のソースとは異なる、
［Ｃ３９］に記載のコンピュータプログラム製品。
［Ｃ４２］
前記複数のソースのうちの前記少なくとも１つのソースは、フェムトノードである、
［Ｃ４１］に記載のコンピュータプログラム製品。
［Ｃ４３］
前記コンピュータ可読媒体は、前記少なくとも１つのコンピュータに、前記フェムトノードに対応する前記複数の信号の１つにおける前記インジケーションを受信させるためのコードをさらに備える、
［Ｃ４２］に記載のコンピュータプログラム製品。
［Ｃ４４］
前記コンピュータ可読媒体は、前記少なくとも１つのコンピュータに、前記フェムトノードとのバックホール接続を介して前記インジケーションを受信させるためのコードをさらに備える、
［Ｃ４２］に記載のコンピュータプログラム製品。
【図１】
0005840784.tif 000002
【図２】
0005840784.tif 000003
【図３】
0005840784.tif 000004
【図４】
0005840784.tif 000005
【図５】
0005840784.tif 000006
【図６】
0005840784.tif 000007
【図７】
0005840784.tif 000008
【図８】
0005840784.tif 000009
【図９】
0005840784.tif 000010
【図１０】
0005840784.tif 000011
【図１１】
0005840784.tif 000012
【図１２】
0005840784.tif 000013